(57)【要約】    【課題】第１ボディーと第２ボディーとをほぼ３６０度まで回動し得るように連結することで、動画像や衛星放送視聴などの多様な機能を行うときに使用を便利にするヒンジユニット、ヒンジ装置、携帯端末機及び電子機器を提供する。    【解決手段】携帯端末機は、第１ボディー１０と、該第１ボディー１０に開閉可能に装着される第２ボディー２０と、前記第１ボディー１０と第２ボディー２０とを回動可能にヒンジ連結するヒンジユニット３０とから構成され、前記ヒンジユニット３０は、前記第１ボディー１０に装着される第１ヒンジユニット４０と、前記第２ボディー２０に装着されて前記第１ヒンジユニット４０と噛み合い、該第１ヒンジユニット４０と同一の回動角で回動する第２ヒンジユニット５０と、前記第１ヒンジユニット４０と第２ヒンジユニット５０とを回動可能に連結する連結ユニットとを含む。【選択図】図１
2006162074.tif 000002
【特許請求の範囲】
【請求項１】
第１ボディーと、
該第１ボディーに開閉可能に装着される第２ボディーと、
前記第１ボディーと第２ボディーとを回動可能にヒンジ連結するヒンジユニットと、を含んで構成され、
前記ヒンジユニットは、
前記第１ボディーに装着される第１ヒンジユニットと、
前記第２ボディーに装着されて前記第１ヒンジユニットと噛み合い、該第１ヒンジユニットと同一の回動角で回動する第２ヒンジユニットと、
前記第１ヒンジユニットと前記第２ヒンジユニットとを回動可能に連結する連結ユニットと、
を含むことを特徴とする携帯端末機。
【請求項２】
前記第１ボディーには、情報を表示するディスプレイ及びサウンドを発生するスピーカが設置されることを特徴とする請求項１に記載の携帯端末機。
【請求項３】
前記第１ボディーの長手方向の両側縁部近傍に一対のスピーカのそれぞれが装着されることを特徴とする請求項２に記載の携帯端末機。
【請求項４】
前記スピーカは、第１ボディーの中心から左側又は右側のいずれかに偏った位置に配置されることを特徴とする請求項３に記載の携帯端末機。
【請求項５】
前記第１ヒンジユニットは、
前記第１ボディーに装着される第１締結用ブラケットと、
該第１締結用ブラケットに形成されて前記連結ユニットに回動可能にヒンジ連結される第１ヒンジ部と、
を含んで構成されることを特徴とする請求項１に記載の携帯端末機。
【請求項６】
前記第２ヒンジユニットは、
前記第２ボディーに装着される第２締結用ブラケットと、
該第２締結用ブラケットに形成されて前記連結ユニットに回動可能にヒンジ連結される第２ヒンジ部と、
を含んで構成されることを特徴とする請求項５に記載の携帯端末機。
【請求項７】
前記第１ヒンジ部の外周面には円周方向に第１ギアが形成され、
前記第２ヒンジ部の外周面には前記第１ギアに噛み合う第２ギアが形成されることを特徴とする請求項６に記載の携帯端末機。
【請求項８】
前記第１ギア及び前記第２ギアのうちの少なくとも一方には、ギア歯が外部部材と接触することを低減し又は防止する接触防止部が設けられていることを特徴とする請求項７に記載の携帯端末機。
【請求項９】
前記接触防止部は、
前記第１ギアの側面に形成される第１防止板と、
前記第２ギアの側面に形成される第２防止板と、
を含んで構成されることを特徴とする請求項８に記載の携帯端末機。
【請求項１０】
前記第１防止板は、前記第１ギアよりも大きい外径を有する円盤状に形成され、
前記第２防止板は、前記第２ギアよりも大きい外径を有する円盤状に形成されることを特徴とする請求項９に記載の携帯端末機。
【請求項１１】
前記連結ユニットは、
前記第１ヒンジ部及び前記第２ヒンジ部のそれぞれの一側に挿入される第１連結ユニットと、
前記第１ヒンジ部及び第２ヒンジ部のそれぞれの他側に挿入され、前記第１連結ユニットと締結される第２連結ユニットと、
を含んで構成されることを特徴とする請求項６に記載の携帯端末機。
【請求項１２】
前記第１連結ユニットは、
前記第１ヒンジ部の一側に挿入されて該第１ヒンジ部を回動可能に支持する第１ロッドと、
前記第２ヒンジ部の一側に挿入されて該第２ヒンジ部を回動可能に支持する第２ロッドと、
前記第１ロッドと第２ロッドとを連結する連結ロッドと、
を含んで構成されることを特徴とする請求項１１に記載の携帯端末機。
【請求項１３】
前記第２連結ユニットは、
前記第１ヒンジ部の他側に挿入され、前記第１ロッドが結合される第１ロッド結合部と、
前記第２ヒンジ部の他側に挿入され、前記第２ロッドが結合される第２ロッド結合部と、
前記第１ロッド結合部及び前記第２ロッド結合部が固定されるフレームと、
を含んで構成されることを特徴とする請求項１１に記載の携帯端末機。
【請求項１４】
前記フレームは、カメラが装着されるカメラ装着部であることを特徴とする請求項１３に記載の携帯端末機。
【請求項１５】
前記フレームには、該フレームに前記第２ヒンジユニットが回動可能に支持されるように、前記第２ヒンジユニットの第２締結用ブラケットから延設される支持部に形成されたヒンジピンが挿入されるヒンジ孔が形成されることを特徴とする請求項１３に記載の携帯端末機。
【請求項１６】
前記フレームと前記第１ボディーとの間には、該第１ボディーを回動可能に支持する支持部材が装着されることを特徴とする請求項１３に記載の携帯端末機。
【請求項１７】
前記支持部材の一端は、前記フレームに回動可能にヒンジ連結され、
前記支持部材の他端は、前記第１ボディーに固定されることを特徴とする請求項１６に記載の携帯端末機。
【請求項１８】
前記第１ロッドは、前記第１ロッド結合部に挿入されて締結され、
前記第２ロッドは、前記第２ロッド結合部に挿入されて締結されることを特徴とする請求項１３に記載の携帯端末機。
【請求項１９】
前記ヒンジユニットは、前記第１ヒンジ部と前記第１ロッドとの間、及び前記第２ヒンジ部と前記第２ロッドとの間にそれぞれ設置されて、前記第１ボディーと第２ボディーとの相対回動位置を固定する位置固定ユニットをさらに含むことを特徴とする請求項１２に記載の携帯端末機。
【請求項２０】
前記位置固定ユニットは、
前記第１ヒンジ部及び前記第２ヒンジ部のそれぞれの内周面に複数形成される凹部と、
前記第１ロッド及び前記第２ロッドのそれぞれに外周面から径方向に形成された挿入溝に挿入され、該挿入溝に沿って移動して前記凹部のうちのいずれか１つに挿入される支持ロッドと、
該支持ロッドを付勢するスプリングと、
を含んで構成されることを特徴とする請求項１９に記載の携帯端末機。
【請求項２１】
前記複数形成される凹部は、
前記第１ボディーと前記第２ボディーとの閉状態をロックする第１凹部と、
前記第１ボディーと前記第２ボディーとの１８０度以下の開状態をロックする第２凹部と、
前記第１ボディーと前記第２ボディーとの１８０度以上の開状態をロックする第３凹部と、
を含むことを特徴とする請求項２０に記載の携帯端末機。
【請求項２２】
前記第２凹部によりロックされた状態は、通信モードで使用されるときの状態であることを特徴とする請求項２１に記載の携帯端末機。
【請求項２３】
前記第３凹部によりロックされた状態は、動画像や衛星放送を視聴する動画像・衛星放送受信モードで使用されるときの状態であることを特徴とする請求項２１に記載の携帯端末機。
【請求項２４】
前記第２ボディーに回動可能に設置され、端末機の横置き状態を支持する支持レバーをさらに含むことを特徴とする請求項１に記載の携帯端末機。
【請求項２５】
前記支持レバーは、その一側端部には前記第２ボディーの一側面にヒンジ連結されるヒンジピンが形成される一方、その他側端部は前記ヒンジユニットに回動可能に装着され、
前記第２ボディーに形成された収納溝に収納されることを特徴とする請求項２４に記載の携帯端末機。
【請求項２６】
前記支持レバーは、所定の周波数を送受信するアンテナとして使用されることを特徴とする請求項２４に記載の携帯端末機。
【請求項２７】
前記支持レバーと前記ヒンジユニットとの間に設置され、前記支持レバーが前記収納溝から離脱すると前記ヒンジユニットの回動を抑止する係止装置をさらに含むことを特徴とする請求項２５に記載の携帯端末機。
【請求項２８】
前記係止装置は、
前記支持レバーの端部に形成されるカム部と、
該カム部に接触した状態で配置され、前記支持レバーの回動によりカム面に沿って上下方向に移動するロックロッドと、
前記連結ユニットに形成され、前記ロックロッドが係止されると前記ヒンジユニットが回動しないようにロックするロック突起と、
を含んで構成されることを特徴とする請求項２７に記載の携帯端末機。
【請求項２９】
前記ロックロッドは、前記第２ヒンジユニットに形成されたガイド溝に上下方向に移動可能に装着され、
前記ロックロッドと前記ガイド溝との間には、前記ロックロッドを上方向に付勢するスプリングが装着されることを特徴とする請求項２８に記載の携帯端末機。
【請求項３０】
第１ヒンジユニットと、
該第１ヒンジユニットと同一の回動角を有するように噛み合って回動する第２ヒンジユニットと、
前記第１ヒンジユニットと第２ヒンジユニットとを回動可能に連結する連結ユニットと、
含むことを特徴とするヒンジユニット。
【請求項３１】
前記第１ヒンジユニットは、
前記第１ボディーに装着される第１締結用ブラケットと、
該第１締結用ブラケットに形成され、前記連結ユニットに回動可能にヒンジ連結される第１ヒンジ部と、
を含んで構成されることを特徴とする請求項３０に記載のヒンジユニット。
【請求項３２】
前記第２ヒンジユニットは、
前記第２ボディーに装着される第２締結用ブラケットと、
該第２締結用ブラケットに形成され、前記連結ユニットに回動可能にヒンジ連結される第２ヒンジ部と、
を含んで構成されることを特徴とする請求項３１に記載のヒンジユニット。
【請求項３３】
前記第１ヒンジ部の外周面には円周方向に第１ギアが形成され、
前記第２ヒンジ部の外周面には前記第１ギアと噛み合う第２ギアが形成されることを特徴とする請求項３２に記載のヒンジユニット。
【請求項３４】
前記第１ギア及び前記第２ギアのうちの少なくとも一方には、ギア歯が外部部材と接触することを低減し又は防止する接触防止部が設けられていることを特徴とする請求項３３に記載のヒンジユニット。
【請求項３５】
前記接触防止部は、
前記第１ギアの側面に形成される第１防止板と、
前記第２ギアの側面に形成される第２防止板と、
を含んで構成されることを特徴とする請求項３４に記載のヒンジユニット。
【請求項３６】
前記第１防止板は、前記第１ギアよりも大きい外径を有する円盤状に形成され、
前記第２防止板は、前記第２ギアよりも大きい外径を有する円盤状に形成されることを特徴とする請求項３５に記載のヒンジユニット。
【請求項３７】
前記連結ユニットは、
前記第１ヒンジ部及び前記第２ヒンジ部のそれぞれの一側に挿入される第１連結ユニットと、
前記第１ヒンジ部及び前記第２ヒンジ部のそれぞれの他側に挿入され、前記第１連結ユニットと締結される第２連結ユニットと、
を含んで構成されることを特徴とする請求項３２に記載のヒンジユニット。
【請求項３８】
前記第１連結ユニットは、
前記第１ヒンジ部の一側に挿入されて該第１ヒンジ部を回動可能に支持する第１ロッドと、
前記第２ヒンジ部の一側に挿入されて該第２ヒンジ部を回動可能に支持する第２ロッドと、
前記第１ロッドと第２ロッドとを連結する連結ロッドと、
を含んで構成されることを特徴とする請求項３７に記載のヒンジユニット。
【請求項３９】
前記第２連結ユニットは、
前記第１ヒンジ部の他側に挿入され、前記第１ロッドが結合される第１ロッド結合部と、
前記第２ヒンジ部の他側に挿入され、前記第２ロッドが結合される第２ロッド結合部と、
前記第１ロッド結合部及び前記第２ロッド結合部が固定されるフレームと、
を含んで構成されることを特徴とする請求項３７に記載のヒンジユニット。
【請求項４０】
前記フレームは、カメラが装着されるカメラ装着部であることを特徴とする請求項３９に記載のヒンジユニット。
【請求項４１】
前記第１ロッドは、第１ロッド結合部に挿入されて締結され、
前記第２ロッドは、第２ロッド結合部に挿入されて締結されることを特徴とする請求項３９に記載のヒンジユニット。
【請求項４２】
前記第１ヒンジ部と前記第１ロッドとの間、及び前記第２ヒンジ部と前記第２ロッドとの間にそれぞれ設置されて、前記第１ヒンジユニットと第２ヒンジユニットとの相対回動位置を固定する位置固定ユニットをさらに含むことを特徴とする請求項３２に記載のヒンジユニット。
【請求項４３】
前記位置固定ユニットは、
前記第１ヒンジ部の内周面及び前記第２ヒンジ部のそれぞれの内周面に複数形成される凹部と、
前記第１ロッド及び前記第２ロッドのそれぞれに外周面から径方向に形成された挿入溝に挿入され、該挿入溝に沿って移動して前記凹部のうちのいずれか１つに挿入される支持ロッドと、
該支持ロッドを付勢するスプリングと、
を含んで構成されることを特徴とする請求項４２に記載のヒンジユニット。
【請求項４４】
前記複数形成される凹部は、
前記第１ボディーと前記第２ボディーとの閉状態をロックする第１凹部と、
前記第１ボディーと前記第２ボディーとの１８０度以下の開状態をロックする第２凹部と、
前記第１ボディーと前記第２ボディーとの１８０度以上の開状態をロックする第３凹部と、
を含むことを特徴とする請求項４３に記載のヒンジユニット。
【請求項４５】
第１ボディーと、
第２ボディーと、
前記第１ボディーと前記第２ボディーとを動作的に連結するヒンジフレームと、を含んで構成され、
前記ヒンジフレームは、
第１シリンダ部と第２シリンダ部とを備え、
前記第１シリンダ部の回転軸が前記第２シリンダ部の回転軸と平行に近接しているが、同一線上には位置しない二重一軸ヒンジと、
２つの端部がそれぞれ連結されて前記第１シリンダ部と前記第２シリンダ部とを回転可能に連結する連結部とを含み、
前記第１シリンダ部は前記第１ボディーと連結される一方、前記第２シリンダ部は前記第２ボディーと連結され、
前記第１シリンダ部の一方の端部である第１端部に形成された第１ギアが、前記第２シリンダ部の一方の端部である第１端部に形成された第２ギアと噛み合って、前記第１ボディーと前記第２ボディーとが互いに３６０度まで開閉されることを特徴とする電子機器。
【請求項４６】
前記第１ボディーと第２ボディーとは、第１形状では互いに平行にそれぞれの内側表面が対面し、第２形状では互いに平行にそれぞれの外側表面が対面することを特徴とする請求項４５に記載の電子機器。
【請求項４７】
前記第１ボディーと第２ボディーとは、第３形状ではそれぞれの内側表面間の角度が１８０度以下になるように位置されることを特徴とする請求項４５に記載の電子機器。
【請求項４８】
前記連結部の２つの端部は、前記第１シリンダ部及び第２シリンダ部のそれぞれの他方の端部である第２端部に挿入されるか、又はそれぞれの第２端部を収容することを特徴とする請求項４５に記載の電子機器。
【請求項４９】
前記連結部は、前記二重一軸ヒンジから離隔して形成されることを特徴とする請求項４５に記載の電子機器。
【請求項５０】
前記第１ギア及び前記第２ギアは、少なくともその一部が外部に露出していることを特徴とする請求項４５に記載の電子機器。
【請求項５１】
前記第１ギア及び前記第２ギアは、それぞれの歯先よりも径方向に突出するように形成されたディスク部分を有することを特徴とする請求項５０に記載の電子機器。
【請求項５２】
前記第１シリンダ部及び前記第２シリンダ部のそれぞれの第１端部に挿入されるか、又はそれぞれの第１端部を収容する補助支持要素をさらに含むことを特徴とする請求項４８に記載の電子機器。
【請求項５３】
前記第１シリンダ部及び前記第２シリンダ部のそれぞれの第１端部を支持し、前記ヒンジフレームに１つ以上の追加要素の取り付けを可能にする取り付けモジュールをさらに含むことを特徴とする請求項４８に記載の電子機器。
【請求項５４】
前記取り付けモジュールは、撮像装置及び他の電子部品の少なくとも１つを含むことを特徴とする請求項５３に記載の電子機器。
【請求項５５】
前記取り付けモジュールは、前記ヒンジフレームに対して、回転、ピボット及び旋回を含む動作のうちの少なくとも１つが可能であることを特徴とする請求項５４に記載の電子機器。
【請求項５６】
前記取り付けモジュールを前記第１ボディー及び前記第２ボディーとそれぞれ連結する追加連結部をさらに含むことを特徴とする請求項５３に記載の電子機器。
【請求項５７】
前記第２ボディーに設けられ、所定の位置にて、載置面に置かれる電子機器を支持するスタンド機能及び電子機器の携帯時のハンドル機能のうちの少なくとも一方の機能を果たすスタンド−ハンドル部をさらに含むことを特徴とする請求項４５に記載の電子機器。
【請求項５８】
前記スタンド−ハンドル部は、ユーザが把持し得る延長部分を有し、前記第２ボディーの外周の一部に収容されることを特徴とする請求項５７に記載の電子機器。
【請求項５９】
前記スタンド−ハンドル部は、前記第２ボディーに形成された溝又は凹部に収容できることを特徴とする請求項５８に記載の電子機器。
【請求項６０】
前記スタンド−ハンドル部は、その一端部が前記ヒンジフレームに、他端部が前記第２ボディーにそれぞれ動作可能に取り付けられることを特徴とする請求項５９に記載の電子機器。
【請求項６１】
前記スタンド−ハンドル部は、所定の周波数を送受信するアンテナを内蔵することを特徴とする請求項５７に記載の電子機器。
【請求項６２】
前記第１シリンダ部及び前記第２シリンダ部には、前記第１ボディー及び前記第２ボディーを特定位置に一時固定する止め金装置を含むことを特徴とする請求項４５に記載の電子機器。
【請求項６３】
前記二重一軸ヒンジは、スプリング又はモータで駆動される装置をさらに含むことを特徴とする請求項４５に記載の電子機器。
【請求項６４】
前記第１ボディーと前記第２ボディーとが平行にそれぞれの内側表面が対面する第１形状と、前記第１ボディーと前記第２ボディーが平行にそれぞれの外側表面が対面する第２形状とにおいて、前記第１ボディーの表面と前記第２ボディーの表面との接触を緩衝するための緩衝手段を、前記第１ボディー及び前記第２ボディーのうちの少なくとも一方に設けたことを特徴とする請求項４５に記載の電子機器。
【請求項６５】
前記第１ボディー及び前記第２ボディーのうちの少なくとも一方が１つ以上のディスプレイ部を備えることを特徴とする請求項４５に記載の電子機器。
【請求項６６】
前記第１ボディー及び前記第２ボディーのうちの少なくとも一方が、ディスプレイ装置及び入力装置の機能を果たす１つ以上のタッチスクリーンを備えることを特徴とする請求項４５に記載の電子機器。
【請求項６７】
電子機器において、
第１回転軸と第１ボディーとを連結する第１チューブ部と、
第２回転軸と第２ボディーとを連結する第２チューブ部と、
前記第１チューブ部及び第２チューブ部とそれぞれ動作的に連結され、前記第１及び第２チューブ部を相互回転可能にする連結部材とを含み、
前記第１チューブ部は、前記第２チューブ部と摩擦接触し、
前記第１回転軸と前記第２回転軸とが平行するとともに略同一の構造を有し、
前記第１ボディーが前記第２ボディーに対して３６０度回転可能に形成されることを特徴とするヒンジ装置。
【請求項６８】
前記第１チューブ部及び前記第２チューブ部は、相互連続的又は非連続的に動くように制御されて回転し、前記第１ボディー及び前記第２ボディーの内側表面間の角度が０度から３６０度までのいずれかで一時固定されることを特徴とする請求項６７に記載のヒンジ装置。
【請求項６９】
前記摩擦接触は、前記第１チューブ部に形成された第１ギアと、前記第２チューブ部に形成されて前記第１ギアと噛み合う第２ギアとによって行われることを特徴とする請求項６７に記載のヒンジ装置。
【請求項７０】
前記摩擦接触は、前記第１チューブ部及び前記第２チューブ部のうちの少なくとも一方に形成され、他の部分よりも摩擦係数が高く形成された表面部分を介して行われることを特徴とする請求項６７に記載のヒンジ装置。
【発明の詳細な説明】
【技術分野】
【０００１】
本発明は、ヒンジユニット、ヒンジ装置、携帯端末機及び電子機器に関し、より詳しくは、第１ボディーと第２ボディーとを３６０度回動可能に連結することでユーザの利便性を向上し得るヒンジユニット、ヒンジ装置、携帯端末機及び電子機器に関する。
【背景技術】
【０００２】
図２０は、従来の携帯端末機を示す斜視図である。図２０に示すように、従来の携帯端末機は、情報を表示するディスプレイ１５２が装着される第１ボディー１５０と、情報を入力するキーパッド１６２が備えられるとともに背面にバッテリー１６４が装着される第２ボディー１６０と、第１ボディー１５０と第２ボディー１６０との間に設置されて第１ボディー１５０と第２ボディー１６０とを回動可能に連結するヒンジ連結部１７０、１７２とから構成される。
【０００３】
ヒンジ連結部１７０、１７２は、第１ボディー１５０に形成される第１ヒンジ部１７０と、第２ボディー１６０に形成され、第１ヒンジ部１７０にヒンジ連結される第２ヒンジ部１７２とから構成される。このようなヒンジ連結部１７０、１７２は、第１ボディー１５０と第２ボディー１６０との間の開閉角度（以下単に「開角度」という）を、通信に適した１８０度以内に保持する。
【発明の開示】
【発明が解決しようとする課題】
【０００４】
このような従来の携帯端末機は、第１ボディーと第２ボディーとの間の開角度が限定されているため、動画像、映画、衛星放送の視聴などの通信機能以外の多様なサービスを利用する際に不便であるという問題があった。
【０００５】
本発明は、このような従来の問題を解決するために提案されたもので、その目的は、第１ボディーと第２ボディーとを（互いに）３６０度（又はその近傍）まで回動し得るように（すなわち、一方のボディーを他方のボディーに対してほぼ３６０まで回動し得るように）連結することで、動画像や衛星放送の視聴などの多様な機能を利用する際に便利なヒンジユニット、ヒンジ装置、携帯端末機及び電子機器を提供することにある。
【０００６】
また、本発明の他の目的は、端末機等で動画像や衛星放送などを視聴するときに、端末機等を横に立てること（横置きすること）ができるなど、その使用の際に便利なヒンジユニット、ヒンジ装置、携帯端末機及び電子機器を提供することにある。
【課題を解決するための手段】
【０００７】
このような目的を達成するために、本発明に係る携帯端末機は、第１ボディーと、該第１ボディーに開閉可能に装着される第２ボディーと、前記第１ボディーと前記第２ボディーとを回動可能にヒンジ連結するヒンジユニットとを含んで構成され、前記ヒンジユニットは、前記第１ボディーに装着される第１ヒンジユニットと、前記第２ボディーに装着されて前記第１ヒンジユニットと噛み合い、該第１ヒンジユニットと同一の回動角で回動する第２ヒンジユニットと、前記第１ヒンジユニットと前記第２ヒンジユニットとを回動可能に連結する連結ユニットと、を含んで構成されることを特徴とする。
【０００８】
また、前記第１ボディーには、情報を表示するディスプレイ及びサウンドを発生するスピーカが設置されることを特徴とする。さらに、一対のスピーカのそれぞれが、前記第１ボディーの長手方向の両側縁部近傍に装着されることを特徴とする。
【０００９】
また、前記第１ヒンジユニットは、前記第１ボディーに装着される第１締結用ブラケットと、該第１締結用ブラケットに形成されて前記連結ユニットに回動可能にヒンジ連結される第１ヒンジ部と、を含んで構成されることを特徴とする。
【００１０】
また、前記第２ヒンジユニットは、前記第２ボディーに装着される第２締結用ブラケットと、該第２締結用ブラケットに形成されて前記連結ユニットに回動可能にヒンジ連結される第２ヒンジ部と、を含んで構成されることを特徴とする。
【００１１】
また、前記第１ヒンジ部の外周面には円周方向に第１ギアが形成され、前記第２ヒンジ部の外周面には前記第１ギアに噛み合う第２ギアが形成されることを特徴とする。
【００１２】
また、前記連結ユニットは、前記第１ヒンジ部及び前記第２ヒンジ部のそれぞれの一側に挿入される第１連結ユニットと、前記第１ヒンジ部及び前記第２ヒンジ部のそれぞれの他側に挿入され、前記第１連結ユニットと締結される第２連結ユニットと、を含んで構成されることを特徴とする。
【００１３】
また、前記第１連結ユニットは、前記第１ヒンジ部の一側に挿入され、該第１ヒンジ部を回動可能に支持する第１ロッドと、前記第２ヒンジ部の一側に挿入され、該第２ヒンジ部を回動可能に支持する第２ロッドと、前記第１ロッドと第２ロッドとを連結する連結ロッドとを含んで構成されることを特徴とする。
【００１４】
また、前記第２連結ユニットは、前記第１ヒンジ部の他側に挿入され、前記第１ロッドが結合される第１ロッド結合部と、前記第２ヒンジ部の他側に挿入され、前記第２ロッドが結合される第２ロッド結合部と、前記第１ロッド結合部及び前記第２ロッド結合部が固定されるフレームと、を含んで構成される。
【００１５】
さらに、本発明に係る携帯端末機は、第１ヒンジ部と第１ロッドとの間、及び第２ヒンジ部と第２ロッドとの間に位置固定ユニットがそれぞれ設置されて、前記第１ボディーと第２ボディーとの相対回動位置を固定する位置固定ユニットを更に含んで構成され、前記位置固定ユニットは、第１ヒンジ部及び第２ヒンジのそれぞれの内周面に複数形成される凹部と、前記第１ロッド及び第２ロッドのそれぞれに外周面から径方向に形成された挿入溝に挿入され、該挿入溝に沿って移動して前記凹部のうちのいずれか１つに挿入される支持ロッドと、該支持ロッドを付勢するスプリングと、を含んで構成されることを特徴とする。
【００１６】
また、本発明に係る携帯端末機は、前記第２ボディーに回動可能に設置されて、端末機の横置き（横立て）状態を支持する支持レバーをさらに含んで構成されることを特徴とする。
【発明の効果】
【００１７】
本発明に係るヒンジユニット、ヒンジ装置、携帯端末機及び電子機器によると、第１ボディーが第２ボディーに対して、あるいは、第２ボディーが第１ボディーに対して、それぞれ３６０度（又はその近傍）まで回動し得るため、動画像や衛星放送の視聴がより便利になるという効果がある。
【００１８】
また、前記第２ボディーに支持レバーを回動可能に設置することで、この支持レバーによって前記携帯端末機等の横置き（横立て）状態を保持し得るため、動画像や衛星放送の視聴がより便利になるという効果がある。
【００１９】
さらに、第１ボディーと第２ボディーとの開位置（開状態）を多段階に固定し得るため、使用に便利であるという効果がある。
【発明を実施するための最良の形態】
【００２０】
以下、添付図面に基づいて本発明に係る携帯端末機の実施形態を説明する。本発明に係る携帯端末機（以下単に「端末機」という）の実施形態は複数存在するが、以下、最も好ましい実施形態について説明する。
【００２１】
図１は、本発明に係る端末機の第１実施形態の斜視図であり、図２は、本発明に係る端末機の第１実施形態を一側から見た側面図であり、図３は、本発明に係る端末機の第１実施形態を他側から見た側面図であり、図４は、本発明に係る端末機の第１実施形態の上面図であり、図５は、本発明に係る端末機が通信モードに使用される時の動作状態図であり、図６は、本発明に係る端末機が動画像・衛星放送受信モードに使用される時の動作状態図である。
【００２２】
図に示すように、本発明に係る端末機の第１実施形態は、情報を表示するディスプレイ１２、１４を有する第１ボディー１０と、情報を入力するキーパッド２２を備えた第２ボディー２０と、第１ボディー１０と第２ボディー２０とを互いに（すなわち、第１ボディー１０を第２ボディー２０に対して、第２ボディ２０を第１ボディ１０に対して）３６０度（又はその近傍）まで回動可能に連結するヒンジユニット３０とを含んで構成される。
【００２３】
第１ボディー１０は、外側に露出する外側表面に補助ディスプレイ１２が設置されており、内側表面にはメインディスプレイ１４が設置されている。また、第１ボディー１０の内面にはメインディスプレイ１４により動画像又は音楽を鑑賞するときにサウンドが発生する一対のスピーカ１６、１８が設置される。
【００２４】
一対のスピーカ１６、１８は、第１ボディー１０の内側表面の長手方向の両側縁部の近傍にそれぞれ設置される。すなわち、一方のスピーカ１６は、メインディスプレイ１４の一側（図５では上側）に配置され、他方のスピーカ１８はメインディスプレイ１４の他側（図５では下側）に配置される。
【００２５】
また、一対のスピーカ１６、１８は、図５に示すように、右側に偏った状態に配置されるが、その理由は、動画像や衛星放送を視聴するために端末機を横に立てた（横置きした）ときに、該一対のスピーカ１６、１８を載置面からより高い位置に位置させるためである。
【００２６】
このように、一対のスピーカ１６、１８は、第１ボディー１０の長手方向の両側縁部の近傍にそれぞれ配置され、各スピーカ１６、１８間の間隔を大きくして配置することにより、３Ｄサウンドの実現が可能になり、端末機を横置きした状態で動画像等を鑑賞するときに、スピーカ１６、１８の位置が載置面からより高い位置に配置されるように右側に偏った状態に配置される。これにより、端末機を横置きしたときに、メインディスプレイ１４の左右上方に一対にスピーカ１６、１８が配置されることになる。
【００２７】
第２ボディー２０には、端末機で動画像や衛星放送を視聴するときに、第１ボディー１０に設置されたメインディスプレイ１４が横になった状態を（端末機の横置き状態を）保持し得る支持レバー２４が回動可能（揺動可能）に設置されており、第２ボディー２０の外側面には、支持レバー２４を収納するための収納溝２６が形成されている。なお、基本的には、支持レバー２４を回動させて収納溝２６内に収納するのであるが、支持レバー２４が第２ボディー２０に対して着脱可能に構成されものである場合には、第２ボディー２０から取り外した支持レバー２４を収納溝２６内に収納するようにしてもよい。
【００２８】
支持レバー２４は、両端が略直角に折曲した形態に形成されており、一端部には第２ボディー２０の一側面に形成されたヒンジ孔に挿入されるヒンジピン２８が形成され、他端部はヒンジユニット３０に装着される。
【００２９】
ここで、支持レバー２４の他端部とヒンジユニット３０との間には、支持レバー２４が端末機の横置き状態を支持する位置に回動すると、ヒンジユニット３０の回動を抑止する係止装置（図１４及び図１６の１００）が設置される。
【００３０】
このような支持レバー２４は、端末機で動画像や衛星放送を視聴するために回動されると、収納溝２６から外れて、図６に示すように、載置面との間で、横置きした端末機を支持することができ、これにより、端末機の横置き状態が保持される。なお、このときは、前記係止装置が作動してヒンジユニット３０が回動しないようにロックする。
【００３１】
また、携帯端末機を通信モードで使用するときは、通常、支持レバー２４が第２ボディー２０の収納溝２６に収納されており、このとき、ヒンジユニット３０のロックは解除される。
【００３２】
また、支持レバー２４は、例えば、その一端が第２ボディー２０の内部に装着されるプリント基板（図示せず）と電気的に接続して周波数を送受信するアンテナとして機能するように構成することもできる。すなわち、支持レバー２４の内部にアンテナを設置して該アンテナとプリント基板間とを電気的に接続すると、端末機の横置き状態を支持する機能以外に外部アンテナとして活用し得る。
【００３３】
図７は、本発明に係るヒンジユニット３０の分解斜視図であり、図８及び図９は、本発明に係るヒンジユニット３０の斜視図であり、図１０及び図１１は、本発明に係るヒンジユニットが回動した状態を示す斜視図である。
【００３４】
図に示すように、ヒンジユニット３０は、第１ボディー１０に装着される第１ヒンジユニット４０と、第２ボディー２０に装着され、第１ヒンジユニット４０と噛み合って相対回動する第２ヒンジユニット５０と、第１ヒンジユニット４０と第２ヒンジユニット５０との間に連結され、それら第１ヒンジユニット４０と第２ヒンジユニット５０とを互いに３６０度（又はその近傍）まで回動可能にする連結ユニット６０、７０とを含んで構成される。
【００３５】
第１ヒンジユニット４０は、第１ボディー１０にボルト締結される複数のボルト締結孔４２を有する第１締結用ブラケット４４と、該第１締結用ブラケット４４に一体に形成され、連結ユニット６０、７０に回動可能にヒンジ連結される第１ヒンジ部４６とを含んで構成される。
【００３６】
第２ヒンジユニット５０は、第２ボディー２０にボルト締結される複数のボルト締結孔５２を有する第２締結用ブラケット５４と、該第２締結用ブラケット５４に一体に形成され、連結ユニット６０、７０に回動可能にヒンジ連結される第２ヒンジ部５６とを含んで構成される
【００３７】
第１ヒンジ部４６の外周面には円周方向に第１ギア８０が形成されており、第２ヒンジ部５６の外周面には第１ギア８０と噛み合う第２ギア８２が形成されている。ここで、第１ギア８０と第２ギア８２とは噛み合った状態にあるため、第１ヒンジユニット４０と第２ヒンジユニット５０とは反対方向に常に同一の回動角で回動する。
【００３８】
すなわち、例えば、第１ヒンジユニット４０が４５度回動すると、第２ヒンジユニット５０も（反対方向に）４５度回動することになり、最終的に、第１ヒンジユニット４０と第２ヒンジユニット５０との間の回動角（開度）は９０度となる。このように、第１ヒンジユニット４０と第２ヒンジユニット５０とは、それぞれに形成されたギアが噛み合っているため、同一の回動角で（反対方向に）回動する。
【００３９】
連結ユニット６０、７０は、第１ヒンジ部４６及び第２ヒンジ部５６のそれぞれの一側に挿入される第１連結ユニット６０と、第１ヒンジ部４６及び第２ヒンジ部５６のそれぞれの他側に挿入され、第１連結ユニット６０と締結される第２ヒンジユニット７０とを含んで構成される。
【００４０】
第１連結ユニット６０は、第１ヒンジ部４６の一側に挿入されて該第１ヒンジ部４６を回動可能に支持する第１ロッド６２と、第２ヒンジ部５６の一側に挿入されて第２ヒンジ部５６を回動可能に支持する第２ロッド６４と、第１ロッド６２と第２ロッド６４とを連結する連結ロッド６６とを含んで構成される。連結ロッド６６は、Ｕ字状に形成されており、その一端は第１ロッド６２に、他端は第２ロッド６４にそれぞれ固定される。
【００４１】
第２ヒンジユニット７０は、第１ヒンジ部４６の他側に挿入され、第１ロッド６２が挿入結合されるように円筒状に形成される第１ロッド結合部７２と、第２ヒンジ部５６の他側に挿入され、第２ロッド６４が挿入結合されるように円筒状に形成される第２ロッド結合部７４と、第１ロッド結合部７２及び第２ロッド結合部７４が固定されるフレーム７６とを含んで構成される。
【００４２】
ここで、フレーム７６は、カメラ６８が装着されるカメラ装着部として活用し得る。この場合、フレーム７６は、例えば四角の箱状に形成されて内部にカメラ６８が固定され、その一側面には第１ロッド結合部７２及び第２ロッド結合部７４が固定される。
【００４３】
また、フレーム７６には、該フレーム７６に第２ヒンジユニット５０が回動可能に支持されるように、第２締結用ブラケット５４から延設された支持部５３のヒンジピン５８が挿入されるヒンジ孔７８が形成されている。すなわち、第２ヒンジユニット５０は、支持部５３によりフレーム７６に回動可能に支持された状態でより安定して回動する。
【００４４】
第１ロッド６２及び第２ロッド６４のそれぞれの端部にはボルト締結孔６７が形成されており、第１ロッド結合部７２及び第２ロッド結合部７４のそれぞれの端部にはボルト孔７７が形成されている。そして、第１ロッド６２を第１ロッド結合部７２に挿入し、第２ロッド６４を第２ロッド結合部７４に挿入した状態でボルト７９によって締結される。
【００４５】
また、第１ヒンジ部４６及び第２ヒンジ部５６には、第１ロッド６２と第１ロッド結合部７２との間、及び第２ロッド６４と第２ロッド結合部７４との間をそれぞれ締結するボルト７９が貫通するボルト貫通孔４７、５７がそれぞれ形成される。
【００４６】
第１ヒンジ部４６の内周面と第１ロッド６２の外周面との間、及び第２ヒンジ部５６の内周面と第２ロッド６４の外周面との間には、第１ボディー１０と第２ボディー２０とが相対回動しようとするときに、その（相対）回動位置を固定する（できる）位置固定ユニット８４がそれぞれ設置される。
【００４７】
位置固定ユニット８４は、図１２及び図１３に示すように、第１ヒンジ部４６の内周面と第２ヒンジ部５６の内周面にそれぞれ所定間隔を置いて形成されるグルーブ（凹部）８５、８６、８７と、第１ロッド６２及び第２ロッド６４のそれぞれの外周面から径方向に形成された挿入溝８８に直線移動（軸方向の移動が）可能に挿入され、第１ヒンジ部４６の内周面に形成されるグルーブ（凹部）８５、８６、８７のいずれか１つに挿入される支持ロッド８９と、該支持ロッド８９の下面と挿入溝８８の底面間に配置されて支持ロッド８９を付勢するスプリング９０とを含んで構成される。
【００４８】
グルーブ（凹部）８５、８６、８７は、略半球状に形成され、第１ボディー１０と第２ボディー２０とが閉状態を保持し得るように支持ロッド８９が挿入される第１グルーブ８５と、第１ボディー１０と第２ボディー２０とがそれぞれ回動角９０度（第１ボディー１０と第２ボディー２０との開角度が１８０度）以下の開状態で通信機能を行うとき、現在の開角度を保持し得るように支持ロッドが挿入される第２グルーブ８６と、端末機で動画像又は衛星放送を視聴するとき、メインディスプレイ１４が外部に露出するように第１ボディー１０と第２ボディー２０がほぼ３６０度回動すると、支持ロッド８９が挿入される第３グルーブ８７とから構成される。
【００４９】
ここで、第１グルーブ８５と第２グルーブ８６間の角度（第１グルーブ８５の中心と、第１ヒンジ部４６又は第２ヒンジ部５６の断面中心と、第２グルーブ８６の中心との３点を結んでできる角度）は８２.５度程度であり、第１グルーブ８５と第３グルーブ８７との間の角度（第１グルーブ８５の中心と、第１ヒンジ部４６又は第２ヒンジ部５６の断面中心と、第３グルーブ８７の中心との３点を結んでできる角度）は１８０度程度であることが好ましい。
【００５０】
第１ヒンジユニット４０及び第２ヒンジユニット５０は、第１ギア８０及び第２ギア８２が噛み合った状態であるため、同一の回動角で回動する（すなわち、一方が所定量だけ回動すると、他方も反対方向に同じ量だけ回動する）。従って、第１ヒンジユニット４０の回動角と第２ヒンジユニット５０の回動角の和が最終的な第１ボディー１０と第２ボディー２０との回動角（開角度）となる。
【００５１】
従って、端末機が通信モードで使用されるとき、第１ボディー１０と第２ボディー２０との内角（開角度）は１６５度程度に保持され、端末機が動画像や衛星放送を視聴する動画像・衛星放送受信モードに使用されるとき、第１ボディー１０と第２ボディー２０との回動角（開角度）は３６０度に保持される。
【００５２】
支持ロッド８９は、挿入溝８８内に直線移動可能に挿入され、その一端が半球状に形成されてグルーブ８５、８６、８７のいずれかに挿入され、他端にはスプリング９０が装着される。
【００５３】
支持レバー２４とヒンジユニット３０との間には、該支持レバー２４によって端末機が横置きされた状態）であるときに、ヒンジユニット３０の回動をロックする係止装置１００が設置される。
【００５４】
係止装置１００は、図１４〜図１６に示すように、支持レバー２４の端部に形成されるカム部１０２と、該カム部１０２に接触した状態で配置され、支持レバー２４の回動によりカム面１０４に沿って上下移動するロックロッド１０６と、第２連結ユニット７０のフレーム７６に形成され、ロックロッド１０６が係止されるとヒンジユニット３０が回動しないようにロックするロック突起１１３とを含んで構成される。
【００５５】
支持レバー２４の端部には、第２締結用ブラケット５４に形成されたヒンジ孔１０８に回動可能に挿入されるヒンジロッド１１０が形成されており、該ヒンジロッド１１０には、ヒンジ孔１０８から離脱することを防止する離脱防止用ワッシャ１１２が装着される。
【００５６】
また、支持レバー２４の端部には、カム面１０４を有するカム部１０２が形成される。
【００５７】
ロックロッド１０６は、第２締結用ブラケット５４に形成されたガイド溝１１４に図で見て上下方向に移動可能に装着され、ロックロッド１０６の下面とガイド溝１１４（の底面）との間にはロックロッド１０６を上方に付勢するスプリング１１６が装着される。
【００５８】
このようなロックロッド１０６の上部には、ロック突起１１３に係止される係止部１２０と、該係止部１２０より低く形成されてカム部１０２のカム面１０４に接触し、該カム面１０４に沿ってスライド移動する接触部１２２とがそれぞれ形成される。
【００５９】
ロック突起１１３は、第２連結ユニット７０のフレーム７６から突設され、ロックロッド１０６に係止されると、第２ヒンジユニット５０が回動することを抑止する。
【００６０】
このような係止装置１００の作用を説明すると、図１４に示すように、支持レバーが第２ボディー２０の収納溝２６に収納された状態であると、カム部１０２の厚い部位のカム面１０４にロックロッド１０６の接触部１２２が接触した状態となり、ロックロッド１０６が下降して該ロックロッド１０６の係止部１２０がロック突起１１３から分離された状態となるため、ヒンジユニット３０の回動を妨害しない。
【００６１】
また、端末機を横置きするために、支持レバー２４を収納溝２６から外して回動させると、図１５及び図１６に示すように、カム部１０２の薄い位置のカム面１０４にロックロッド１０６の接触部１２２が接触した状態となるため、ロックロッド１０６が上昇する。ロックロッド１０６が上昇すると、該ロックロッド１０６の係止部１２０が第２連結ユニット７０のフレーム７６に形成されたロック突起１１３に係止されて第２ヒンジユニット５０をロックする。これにより、第２ヒンジユニット５０が回動しなくなり、第１ヒンジユニット４０も第２ヒンジユニット５０と噛み合った状態であるため回動しない。
【００６２】
以下、このように構成された本発明に係るヒンジユニットの作用を説明する。
まず、端末機が閉状態であるときは、第１ヒンジ部４６及び第２ヒンジ部５６に形成された第１グルーブ８５に支持ロッド８９が挿入され、スプリング９０の弾性力により前記挿入状態が保持されることで、第１ボディー１０と第２ボディー２０との閉状態が保持される。
【００６３】
また、端末機を通信モードに使用するために第１ボディー１０を開くと、端末機は、図５に示すような開状態を保持する。すなわち、支持ロッド８９が第１グルーブ８５から外れて第２グルーブ８６に挿入される。これにより、第１ボディー１０と第２ボディー２０は１８０度以下、ここでは、１６５度程度の開状態となる。
【００６４】
ここで、第１ヒンジユニット４０及び第２ヒンジユニット５０は、第１ギア８０及び第２ギア８２が噛み合った状態であるので、同一の回動角で回動する。従って、第１ヒンジユニット４０が８２.５度程度回動し、第２ヒンジユニット５０も８２.５度程度回動することで、最終的に第１ボディー１０と第２ボディー２０とは１６５度の開状態となる。
【００６５】
また、端末機を動画像・衛星放送受信モードで使用する場合に、図６に示すように、第１ボディー１０を第２ボディー２０に対してさらに回動させると、第１ボディー１０が第２ボディー２０の背面に接触した状態となり、第１ボディー１０に装着されたメインディスプレイ１４が外部に露出する。
【００６６】
つまり、支持ロッド８９が第２グルーブ８６から離脱して第３グルーブ８７に挿入された状態となるため、第１ボディー１０と第２ボディー２０との３６０度回動状態（３６０度の開状態）が保持される。また、端末機の横置き状態を保持するために支持レバー２４を収納溝２６から離脱させて載置面に支持させる。そうすると、端末機は横置き状態を保持することになり、この状態でユーザはメインディスプレイ１４で衛星放送を視聴することができる。ここで、第１ボディー１０の両側縁部には、スピーカ１６、１８が配置されており、これにより３Ｄサウンドを実現する。
【００６７】
また、このように支持レバー２４を回動させると、前述したように、係止装置１００が作動してヒンジユニット３０の回動を防止する。
【００６８】
図１７は、本発明に係る（携帯）端末機の第２実施形態を示す斜視図であり、図１８は、本発明に係る端末機の第２実施形態を示す側面図であり、図１９は、本発明に係る端末機の第２実施形態を示す上面図である。
【００６９】
本発明の第２実施形態による端末機は、第１ヒンジユニット４０に形成された第１ギア８０及び第２ヒンジユニット５０に形成される第２ギア８２に、ギア歯を保護するために、ギア歯が外部部材と接触することを低減し又は防止する接触防止部１２１、１２３が設けられていることが第１実施形態で説明した（携帯）端末機と異なる。なお、この接触防止部材１２１、１２３は、第１ギア８０と第２ギア８２との間に何らかの異物が巻き込まれることを防止する機能も有しており、このことによってもギアが保護される。また、ここでは、第１ギア８０と第２ギア８２との両方に接触防止部１２１、１２３を設けているが、いずれか一方のみに設ける構成としてもよい。
【００７０】
接触防止部１２１、１２３は、第１ギア８０の側面に第１ギア８０よりも大きい直径を有して形成される第１防止板１２１と、第２ギア８２の側面に第２ギア８２よりも大きい直径を有して形成される第２防止板１２３とを含んで構成される。
【００７１】
ここで、第１防止板１２１及び第２防止板１２３は対向して配置される。すなわち、本実施形態では、図１９に示すように、第１防止板１２１は第１ギア８０の右側面に形成され、第２防止板１２３は第２ギア８２の左側面に形成されている。
【００７２】
第１防止板１２１及び第２防止板１２３は、それぞれ第１ギア８０及び第２ギア８２の側面に該第１ギア８０及び第２ギア８２とは別個の円盤で形成して相対回動可能に設置することもでき、第１ギア８０及び第２ギア８２の側面に一体に形成することもできる。
【００７３】
このように構成された本発明の第２実施形態に係る端末機では、接触防止部１２１、１２３が、第１ギア８０、第２ギア８２それぞれの側面に、該第１ギア８０、第２ギア８２よりも大きい直径を有して形成されるので、第１ギア８０と第２ギア８２とが噛み合った状態で回動するときに、第１ギア８０及び第２ギア８２のギア歯（特に、歯先）が外部部材と接触したり、第１ギア８０と第２ギア８２との間に何らかの異物が挟まったりすることを防止してギア歯を保護し、信頼性を向上させることができる。
【００７４】
また、かかる第２実施形態による端末機は、第１ボディー１０とヒンジユニット３０との間に第１ボディー１０を回動可能に支持する支持プレート１３０が装着されて安定性を向上させる。
【００７５】
すなわち、本実施形態における支持プレート１３０は、所定の長さを有するロッドであり、その一端が第２連結ユニット７０のフレーム７６に回動可能に支持され、他端が第１ボディー１０の側面に固定される。従って、支持プレート１３０は、第１ボディー１０がヒンジユニット３０を中心に回動するとき、第１ボディー１０がより安定して回動し得るように支持する役割を果たす。
【００７６】
以上、本発明の好ましい実施形態について説明したが、本発明の多様な特徴は、以下の方式で追加的に描写及び説明できる。以下の要素の図面符号は具体的に明示していないが、明細書及び図面全体の内容を参照すると、当然に理解できるはずである。
【００７７】
すなわち、本発明は、電子機器において、第１ボディーと、第２ボディーと、前記第１ボディーと前記第２ボディーとを動作的に連結するヒンジフレームとを含んで構成され、前記ヒンジフレームは、第１シリンダ部と第２シリンダ部とを備え、前記第１シリンダ部の回転軸が前記第２シリンダ部の回転軸と平行に近接しているが、同一線上には位置しない二重一軸ヒンジと、２つの端部がそれぞれ連結されて前記第１シリンダ部と第２シリンダ部とを回転可能に連結する連結部とを含み、前記第１シリンダ部は、第１端部及び第２端部を有し、前記第１ボディーに連結される一方、前記第２シリンダ部は、第１端部及び第２端部を有し、前記第２ボディーに連結され、前記第１シリンダ部の第１端部に形成された第１ギアが前記第２シリンダ部の第１端部に形成された第２ギアと噛み合って、第１ボディーと第２ボディーとが３６０度まで開閉されることを特徴とする電子機器を提供する。
【００７８】
ここで、前記第１ボディー及び前記第２ボディーは、第１形状では互いに平行にそれぞれの内側表面が対面し、第２形状では互いに平行にそれぞれの外側表面が対面する。また、前記第１ボディー及び前記第２ボディーは、第３形状では、それらの内側表面間の角度が１８０度又はそれ未満になるように位置される。
【００７９】
前記連結部の２つの端部は、前記第１シリンダ部及び第２シリンダ部のそれぞれの第２端部に挿入されるか、又はそれぞれの第２端部を収容する。ここで、前記連結部は、二重一軸ヒンジから離隔して形成されるため、バンド又は他の物体が電子機器に付着できる。
【００８０】
前記第１ギア及び前記第２ギアは、露出させるようにする。これにより、ギアに隣接する構成の複雑化を回避するとともに、ギアの選択やギア強度の確保等も容易に行える。また、前記第１シリンダ部、第２シリンダ部、連結部と共に独特の美的外観を提供するという付加的な（デザイン上の）効果を奏することにもなる。前記第１ギア及び前記第２ギアは、それぞれ歯先よりも径方向に突出するように形成されたディスク部分を有し、外部の物体との好ましくない接触を最小化し、前記独特の美的外観をも保持する。つまり、“露出したギア外観”は独特かつ特異の外観であり、堅固で、機械的で、精密な装置の観念を示唆する。
【００８１】
本発明は、また、前記第１シリンダ部及び前記第２シリンダ部のそれぞれの第１端部に挿入されるか、又は、それぞれの第１端部を収容する補助支持要素をさらに含み、前記第１シリンダ部及び前記第２シリンダ部のそれぞれの第１端部を支持し、前記ヒンジフレームに１つ以上の追加要素の取り付けを可能にする取り付けモジュールをさらに含む。ここで、前記取り付けモジュールは、撮像装置及び他の電子部品（ＧＰＳ装置、小型ディスプレイ、ライト等）の少なくとも一つを含む。前記取り付けモジュール（撮像装置等）は、前記ヒンジフレームに対して回転、ピボット及び旋回を含む動作のうちの少なくとも一つが可能である。また、前記取り付けモジュールを前記第１ボディー及び前記前記第２ボディーとそれぞれ連結する追加連結部をさらに含む。
【００８２】
本発明は、スタンドル（standle）をさらに含むことができる。ここで、スタンドル（standle=stand+handle）とは、説明の便宜のために作られた用語であり、少なくともスタンド及びハンドルのうちの少なくとも一方として動作できる（機能する）要素（すなわち、スタンド−ハンドル部）を意味する。但し、この用語は、限定して使用する意図はなく、このような特徴を説明するための他の用語を使用できることはもちろんである。つまり、本発明は、第２ボディーに設けられ、所定の位置にて、載置面に置かれる電子機器を寄り掛かる方式で支持するスタンドの役割やユーザが電子機器の携帯時に使用するハンドルの役割などの機能を果たすスタンドルをさらに含む。なお、スタンドルは、スタンド機能及びハンドル機能をともに有する（２つの機能を有する）のが望ましい。
【００８３】
前記スタンドル（電子機器を支えるためのスタンド及び電子機器を携帯する際に利用するハンドルのうちの少なくとも一方の機能を有する「スタンド−ハンドル部」）は、ユーザが把持し得る延長部分を有し、前記第２ボディーの外周の一部に収容されると同一の平面形状になる。また、前記スタンドルは、第２ボディーに形成された溝部又は凹部に収容できる。さらに、前記スタンドルは、一端部が前記ヒンジフレームに動作可能に取り付けられ、他端部が前記第２ボディーに動作可能に取り付けられる。また、アンテナを内蔵するようにして、受信性能を向上させる。
【００８４】
また、前記第１シリンダ部及び前記第２シリンダ部は、前記第１ボディー及び前記第２ボディーを特定位置に一時固定する止め金装置を含む。また、前記二重一軸ヒンジは、スプリング又はモータで駆動される装置をさらに含む。
【００８５】
また、前記第１ボディーと前記第２ボディーとが平行にそれぞれの内側表面が対面する第１形状と、前記第１ボディーと前記第２ボディーとが平行にそれぞれの外側表面が対面する第２形状とにおいて、前記第１ボディーの表面と前記第２ボディーの表面との接触を緩衝する少なくとも１つの緩衝手段を、前記第１ボディー及び前記第２ボディーの少なくとも一方に設ける。
【００８６】
また、前記第１ボディー及び前記第２ボディーのうちの少なくとも一方は、１つ以上のディスプレイ部を備える。前記第１ボディー及び前記第２ボディーの少なくとも一方は、ディスプレイ装置及び入力装置の機能を果たす１つ以上のタッチスクリーンを備える。
【００８７】
さらに、本発明は、電子機器において、第１回転軸と第１ボディーとを連結する第１チューブ部と、第２回転軸と第２ボディーとを連結する第２チューブ部と、前記第１チューブ部及び前記第２チューブ部とそれぞれ動作的に連結され、前記第１チューブ部及び前記第２チューブ部を相互回転可能にする連結部材とを含んで構成され、前記第１チューブ部は、前記第２チューブ部と摩擦接触し、前記第１回転軸と前記第２回転軸とが平行するとともに略同一の構造を有し、前記第１ボディーが前記第２ボディーに対して３６０度回転可能に形成されることを特徴とするヒンジ装置を提供する。
【００８８】
前記第１チューブ部及び前記第２チューブ部は、相互連続的又は非連続的に動くように制御されて回転し、前記第１ボディー及び前記第２ボディーの内側表面間の角度が０度から３６０度までのいずれかで一時固定される。これにより、前記第１ボディー及び前記第２ボディーが多様な形状に構成されるようにする。
【００８９】
前記摩擦接触は、前記第１チューブ部に形成された第１ギアと、前記第２チューブ部に形成され、前記第１ギアと噛み合う第２ギアとによって行われる。
【００９０】
前記摩擦接触は、前記第１チューブ部又は前記第２チューブ部のうち少なくとも１つにゴム化（rubberized）された部分又は他の適した表面部分（すなわち、他の部分よりも摩擦係数が高い部分）を設け、この設けた部分を介して行われることで、充分な摩擦を提供して前記第１ボディー及び第２ボディーが開閉される。
【図面の簡単な説明】
【００９１】
【図１】本発明に係る携帯端末機の第１実施形態を示す斜視図である。
【図２】本発明に係る携帯端末機の第１実施形態を一側から見た側面図である。
【図３】本発明に係る携帯端末機の第１実施形態を他側から見た側面図である。
【図４】本発明に係る携帯端末機の第１実施形態を示す上面図である。
【図５】本発明に係る携帯端末機の第１実施形態が通信モードに使用される時の動作状態図である。
【図６】本発明に係る携帯端末機の第１実施形態が動画像・衛星放送受信モードに使用される時の動作状態図である。
【図７】本発明の第１実施形態によるヒンジユニットの分解斜視図である。
【図８】本発明の第１実施形態によるヒンジユニットの斜視図である。
【図９】同じく本発明の第１実施形態によるヒンジユニットの斜視図である。
【図１０】同じく本発明の第１実施形態によるヒンジユニットの斜視図である。
【図１１】同じく本発明の第１実施形態によるヒンジユニットの斜視図である。
【図１２】図８のＡ−Ａ線断面図である
【図１３】本発明の第１実施形態による位置固定ユニットの作動状態図である。
【図１４】図９のＢ部の拡大図である。
【図１５】本発明の第１実施形態による係止装置を示すヒンジユニットの斜視図である。
【図１６】図１５のＣ部の拡大図である。
【図１７】本発明に係る携帯端末機の第２実施形態を示す斜視図である。
【図１８】本発明に係る携帯端末機の第２実施形態を示す側面図である。
【図１９】本発明に係る携帯端末機の第２実施形態を示す上面図である。
【図２０】従来の携帯端末機を示す斜視図である。
【符号の説明】
【００９２】
１０  第１ボディー
１４  メインディスプレイ
２０  第２ボディー
２４  支持レバー
３０  ヒンジユニット
４０  第１ヒンジユニット
５０  第２ヒンジユニット
６０  第１連結ユニット
７０  第２連結ユニット
【図１】
2006162074.tif 000003
【図２】
2006162074.tif 000004
【図３】
2006162074.tif 000005
【図４】
2006162074.tif 000006
【図５】
2006162074.tif 000007
【図６】
2006162074.tif 000008
【図７】
2006162074.tif 000009
【図８】
2006162074.tif 000010
【図９】
2006162074.tif 000011
【図１０】
2006162074.tif 000012
【図１１】
2006162074.tif 000013
【図１２】
2006162074.tif 000014
【図１３】
2006162074.tif 000015
【図１４】
2006162074.tif 000016
【図１５】
2006162074.tif 000017
【図１６】
2006162074.tif 000018
【図１７】
2006162074.tif 000019
【図１８】
2006162074.tif 000020
【図１９】
2006162074.tif 000021
【図２０】
2006162074.tif 000022